(57)【特許請求の範囲】
【請求項１】
表示データに基づいて表示部を駆動する表示ドライバであって、
ラッチパルスの周期により規定される一水平走査期間内に表示データ及び複数ワードのコマンドデータが時分割で多重化された入力データを、該ラッチパルスに同期して取り込むラッチと、
前記ラッチに取り込まれた入力データのうち予め決められたワード位置にあるコマンドデータをデコードするデコーダと、
前記デコーダのデコード結果に対応した制御信号を出力する制御部とを含み、
前記入力データに含まれる表示データと、前記制御信号とに基づいて前記表示部を駆動し、
前記ラッチは、
各フリップフロップがワード単位でデータを保持する第１〜第Ｐ（Ｐは２以上の整数）のフリップフロップを有するシフトレジスタを含み、
前記シフトレジスタは、
第ｐ（１≦ｐ≦Ｐ−１、ｐは整数）のフリップフロップの出力が第（ｐ＋１）のフリップフロップの入力に接続され、第１のフリップフロップに入力された入力データを、所与のシフトクロックに同期してシフトし、
前記デコーダは、
第ｑ（１≦ｑ≦Ｐ、ｑは整数）のフリップフロップに保持されたデータを、前記予め決められたワード位置にあるコマンドデータとしてデコードし、
前記デコーダは、
前記第ｑのフリップフロップに保持されたデータの一部である実行コマンドデータ部のデータをデコードする実行コマンドデコーダと、
前記実行コマンドデコーダのデコード結果に基づき前記実行コマンドデータ部のデータが所与の実行コマンドであると判断されたとき、前記第ｑのフリップフロップを除く前記第１〜第Ｐのフリップフロップのうち少なくとも１つのフリップフロップに保持されたデータをデコードする通常コマンドデコーダとを含み、
前記通常コマンドデコーダは、
前記実行コマンドデコーダのデコード結果に基づき前記実行コマンドデータ部のデータが所与の実行コマンドであると判断されたとき、前記第ｑのフリップフロップを除く前記第１〜第Ｐのフリップフロップのうち、前記第ｑのフリップフロップに保持されたデータの参照数データ部のデータに対応したワード数のフリップフロップの少なくとも１つのフリップフロップに保持されたデータを、デコードし、
前記制御部は、
前記通常コマンドデコーダのデコード結果に対応した制御信号を出力することを特徴とする表示ドライバ。
【請求項２】
請求項１において、
前記デコーダは、
前記ラッチパルスの周波数より高い周波数を有するクロックに同期して動作することを特徴とする表示ドライバ。
【請求項３】
請求項２において、
前記ラッチパルスの周波数より高い周波数を有するクロックは、前記シフトクロックであることを特徴とする表示ドライバ。
【請求項４】
請求項１乃至３のいずれかにおいて、
前記コマンドデータは、
パーシャルブロック選択コマンド、出力ブロック選択コマンド及び出力タイミング設定コマンドのうちのいずれかであることを特徴とする表示ドライバ。
【請求項５】
請求項１乃至４のいずれかにおいて、
前記制御部は、
前記デコーダによりデコードされるデータが取り込まれた水平走査期間の次の水平走査期間に、前記制御信号に基づく制御を行うことを特徴とする表示ドライバ。
【請求項６】
複数のデータ線と、複数の走査線と、各画素が前記複数のデータ線のいずれかと前記複数の走査線のいずれかとにより特定される複数の画素とを有する表示パネルと、
前記表示パネルの複数のデータ線を駆動する請求項１乃至５いずれか記載の表示ドライバとを含むことを特徴とする電気光学装置。
【請求項７】
複数のデータ線と、
複数の走査線と、
各画素が、前記複数のデータ線のいずれかと、前記複数の走査線のいずれかとにより特定される複数の画素と、
前記複数のデータ線を駆動する請求項１乃至５いずれか記載の表示ドライバと、
を含むことを特徴とする電気光学装置。
【請求項８】
表示データに基づいて表示部を駆動する表示ドライバの制御方法であって、
ラッチパルスの周期により規定される一水平走査期間内に表示データ及び複数ワードのコマンドデータが時分割で多重化された入力データを、該ラッチパルスに同期して取り込み、
取り込まれた入力データのうち予め決められたワード位置にあるコマンドデータの一部である実行コマンドデータ部のデータをデコードし、
前記実行コマンドデータ部のデータのデコード結果に基づき該データが所与の実行コマンドであると判断されたとき、該データの参照数データ部のデータに基づくワード位置のコマンドデータをデコードし、
前記参照数データ部のデータに基づくワード位置のコマンドデータのデコード結果に対応した制御信号を生成し、
前記入力データに含まれる表示データと、前記制御信号とに基づいて前記表示部を駆動することを特徴とする表示ドライバの制御方法。
【請求項９】
請求項８において、
前記コマンドデータは、
パーシャルブロック選択コマンド、出力ブロック選択コマンド及び出力タイミング設定コマンドのうちのいずれかであることを特徴とする表示ドライバの制御方法。
【発明の詳細な説明】
【０００１】
【発明の属する技術分野】
本発明は、表示ドライバ、電気光学装置及び表示ドライバの制御方法に関する。
【０００２】
【従来の技術】
例えば携帯電話機のような電子機器の表示部には、液晶パネル（広義には表示パネル、更に広義には電気光学装置）が用いられており、電子機器の低消費電力化や小型軽量化等が図られている。この液晶パネルは、電子機器の制御を司るホスト（ＣＰＵ）からの指示を受けて表示制御を行う表示コントローラ（コントローラ）により制御される。
【０００３】
液晶パネルは、複数の走査線と、複数のデータ線と、複数の画素とを有する。複数の走査線は、走査線駆動回路により走査される。複数のデータ線は、データ線駆動回路により駆動される。表示コントローラは、データ線駆動回路に対して表示データを供給すると共に、走査線駆動回路及びデータ線駆動回路に対しタイミング制御を行う。
【０００４】
【特許文献１】
特開２００２−２３７０９号公報
【０００５】
【発明が解決しようとする課題】
ホストからの指示を受けた表示コントローラがデータ線駆動回路（広義には表示ドライバ）を制御する場合、表示コントローラが制御信号を出力して直接的にデータ線駆動回路を制御する手法が考えられる。しかしながら、この手法では、制御内容が複雑になると信号線が増加し、配線による信号遅延や配線領域の確保の問題が生じ、低消費電力化及び低コスト化を図ることができない。
【０００６】
これに対して、表示コントローラによる制御内容に対応したコマンドデータを用意し、該コマンドデータを表示コントローラがデータ線駆動回路に設定する手法が考えられる。この場合、データ線駆動回路は、その内部において、設定されたコマンドデータを解析し、解析結果に応じた制御を行う。この場合、制御内容が複雑化してもコマンドデータの種類を増やせば済むため、拡張性を有するという利点がある。しかしながら、この手法では、表示コントローラがコマンドデータの入出力機能を備えていなければならない。したがって、汎用のコントローラがコマンドデータの入出力機能を具備させると、表示コントローラが、より複雑化してチップサイズが大きくなり、製造コストや納期等の問題が生ずる。
【０００７】
本発明は、以上のような技術的課題に鑑みてなされたものであり、その目的とするところは、汎用のコントローラでもコマンドデータの入力が可能な表示ドライバ、これを備えた電気光学装置及び表示ドライバの制御方法を提供することにある。
【０００８】
【課題を解決するための手段】
上記課題を解決するために本発明は、表示データに基づいて表示部を駆動する表示ドライバであって、一水平走査期間内に表示データ及びコマンドデータが時分割で多重化された入力データを入力するためのデータ入力端子と、コマンドデータを識別するためのコマンド識別信号を入力するためのコマンド識別信号入力端子と、前記入力データから、前記コマンド識別信号に基づいて特定されたコマンドデータを取り込むラッチと、前記ラッチに取り込まれたコマンドデータをデコードするデコーダと、前記デコーダのデコード結果に対応した制御信号を出力する制御部とを含み、前記入力データに含まれる表示データと、前記制御信号とに基づいて前記表示部を駆動する表示ドライバに関係する。
【０００９】
本発明によれば、表示データ及びコマンドデータが時分割で多重化された入力データから、コマンド識別信号に基づきコマンドデータを特定し、この特定したコマンドデータに基づく制御を行うことができる。したがって、コントローラが一般的に有する汎用目的の入出力端子であるＧＰＩ／Ｏ（General Purpose Input/Output）端子からコマンド識別信号を出力させることで、汎用的なコントローラによりコマンドによる表示ドライバの制御を行うことができる。
【００１０】
しかも、表示ドライバの制御を行うコントローラ等は、コマンドデータを表示データと同様に扱うことができ、表示ドライバの制御を行うための回路が簡素化される。
【００１１】
また本発明は、表示データに基づいて表示部を駆動する表示ドライバであって、ラッチパルスの周期により規定される一水平走査期間内に表示データ及び複数ワードのコマンドデータが時分割で多重化された入力データを、該ラッチパルスの立ち上がりに同期して取り込むラッチと、前記ラッチに取り込まれた入力データのうち予め決められたワード位置にあるコマンドデータをデコードするデコーダと、前記デコーダのデコード結果に対応した制御信号を出力する制御部とを含み、前記入力データに含まれる表示データと、前記制御信号とに基づいて前記表示部を駆動する表示ドライバに関係する。
【００１２】
本発明によれば、コマンド識別信号を用いることなく、表示ドライバに対してコマンドデータによる制御を行うことができる。したがって、より汎用的なコントローラでも、表示ドライバのコマンドによる制御を可能とする。
【００１３】
また本発明に係る表示ドライバでは、前記ラッチは、各フリップフロップがワード単位でデータを保持する第１〜第Ｐ（Ｐは２以上の整数）のフリップフロップを有するシフトレジスタを含み、前記シフトレジスタは、第ｐ（１≦ｐ≦Ｐ−１、ｐは整数）のフリップフロップの出力が第（ｐ＋１）のフリップフロップの入力に接続され、第１のフリップフロップに入力された入力データを、所与のシフトクロックに同期してシフトし、前記デコーダは、前記ラッチパルスの立ち上がりに同期して、第ｑ（１≦ｑ≦Ｐ、ｑは整数）のフリップフロップに保持されたデータを、前記予め決められたワード位置にあるコマンドデータとしてデコードすることができる。
【００１４】
また本発明に係る表示ドライバでは、前記デコーダは、前記第ｑのフリップフロップに保持されたデータの一部である実行コマンドデータ部のデータをデコードする実行コマンドデコーダと、前記実行コマンドデコーダのデコード結果に基づき前記実行コマンドデータ部のデータが所与の実行コマンドであると判断されたとき、前記第ｑのフリップフロップを除く前記第１〜第Ｐのフリップフロップのうち少なくとも１つのフリップフロップに保持されたデータをデコードする通常コマンドデコーダとを含み、前記制御部は、前記通常コマンドデコーダのデコード結果に対応した制御信号を出力することができる。
【００１５】
本発明のようにシフトレジスタの各フリップフロップを構成することで、表示データに時分割で多重化されるコマンドデータを容易に特定することができ、コマンドによる制御を容易化すると共に、回路の簡素化を図ることができる。
【００１６】
また本発明に係る表示ドライバでは、前記通常コマンドデコーダは、前記実行コマンドデコーダのデコード結果に基づき前記実行コマンドデータ部のデータが所与の実行コマンドであると判断されたとき、前記第ｑのフリップフロップを除く前記第１〜第Ｐのフリップフロップのうち、前記第ｑのフリップフロップに保持されたデータの参照数データ部のデータに対応したワード数のフリップフロップの少なくとも１つのフリップフロップに保持されたデータを、デコードすることができる。
【００１７】
本発明によれば、実行コマンドデータにより、デコードすべき通常コマンドの数を増減させることができるので、非常に簡素な構成でより複雑な表示ドライバの制御が可能となる。
【００１８】
また本発明に係る表示ドライバでは、前記デコーダは、前記ラッチパルスの周波数より高い周波数を有するクロックに同期して動作することができる。
【００１９】
本発明によれば、コマンドデータが取り込まれた水平走査期間内にデコード結果を出力し、かつ次の水平走査期間までに該デコード結果に対応する制御信号を生成することが容易となる。
【００２０】
また本発明に係る表示ドライバでは、前記ラッチパルスの周波数より高い周波数を有するクロックは、前記シフトクロックであってもよい。
【００２１】
本発明によれば、新たなクロックを生成する必要が無く、表示ドライバに既存の信号を流用し、回路の簡素化を図ることができる。
【００２２】
また本発明に係る表示ドライバでは、前記制御部は、前記デコーダによりデコードされるデータが取り込まれた水平走査期間の次の水平走査期間に、前記制御信号に基づく制御を行うことができる。
【００２３】
本発明によれば、表示ドライバの制御の遅延を招くことを回避することができ、表示ドライバの制御の簡素化を図ることができる。
【００２４】
また本発明は、複数のデータ線と、複数の走査線と、各画素が前記複数のデータ線のいずれかと前記複数の走査線のいずれかとにより特定される複数の画素とを有する表示パネルと、前記表示パネルの複数のデータ線を駆動する上記いずれか記載の表示ドライバとを含む電気光学装置に関係する。
【００２５】
また本発明は、複数のデータ線と、複数の走査線と、各画素が、前記複数のデータ線のいずれかと、前記複数の走査線のいずれかとにより特定される複数の画素と、前記複数のデータ線を駆動する上記いずれか記載の表示ドライバとを含む電気光学装置に関係する。
【００２６】
本発明によれば、汎用的なコントローラにより、コマンドで制御可能な電気光学装置を提供することができる。
【００２７】
また本発明は、表示データに基づいて表示部を駆動する表示ドライバの制御方法であって、一水平走査期間内に表示データ及びコマンドデータが時分割で多重化された入力データから、コマンドデータを識別するためのコマンド識別信号に基づいて特定されたコマンドデータを取り込み、取り込まれたコマンドデータをデコードし、前記コマンドデータのデコード結果に対応した制御信号を生成し、前記入力データに含まれる表示データと、前記制御信号とに基づいて前記表示部を駆動する表示ドライバの制御方法に関係する。
【００２８】
また本発明は、表示データに基づいて表示部を駆動する表示ドライバの制御方法であって、ラッチパルスの周期により規定される一水平走査期間内に表示データ及び複数ワードのコマンドデータが時分割で多重化された入力データを、該ラッチパルスの立ち上がりに同期して取り込み、取り込まれた入力データのうち予め決められたワード位置にあるコマンドデータをデコードし、前記コマンドデータのデコード結果に対応した制御信号を生成し、前記入力データに含まれる表示データと、前記制御信号とに基づいて前記表示部を駆動する表示ドライバの制御方法に関係する。
【００２９】
また本発明に係る表示ドライバの制御方法では、前記入力データのうち予め決められたワード位置にあるコマンドデータの一部である実行コマンドデータ部のデータをデコードし、前記実行コマンドデータ部のデータのデコード結果に基づき該データが所与の実行コマンドであると判断されたとき、前記ラッチパルスの立ち上がりに同期して取り込まれた入力データの他のワード位置にあるコマンドデータをデコードし、前記他のワード位置にあるコマンドデータのデコード結果に対応した制御信号を生成し、前記入力データに含まれる表示データと、前記制御信号とに基づいて前記表示部を駆動することができる。
【００３０】
また本発明に係る表示ドライバの制御方法では、前記実行コマンドデータ部のデータのデコード結果に基づき該データが所与の実行コマンドであると判断されたとき、該データの参照数データ部のデータに基づくワード位置のコマンドデータをデコードし、前記参照数データ部のデータに基づくワード位置のコマンドデータのデコード結果に対応した制御信号を生成し、前記入力データに含まれる表示データと、前記制御信号とに基づいて前記表示部を駆動することができる。
【００３１】
【発明の実施の形態】
以下、本発明の好適な実施の形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。以下の実施形態では、アクティブマトリクス方式の液晶パネルであるＴＦＴパネルを例に説明するが、本発明はこれに限定されるものではない。
【００３２】
１．  第１の実施形態
図１に、液晶装置の構成の概要を示す。液晶装置は、携帯電話、携帯型情報機器（ＰＤＡ等）、デジタルカメラ、プロジェクタ、携帯型オーディオプレーヤ、マスストレージデバイス、ビデオカメラ、電子手帳、又はＧＰＳ（Global Positioning System）などの種々の電子機器に組み込むことができる。
【００３３】
図１において、液晶装置１０は、液晶パネル（広義には表示パネル。更に広義には電気光学装置）２０、データ線駆動回路（狭義にはソースドライバ）３０、走査線駆動回路（狭義にはゲートドライバ）４０、コントローラ５０、電源回路６０を含む。液晶装置１０は、電気光学装置ということもできる。データ線駆動回路３０は、表示ドライバということもできる。
【００３４】
なお、液晶装置１０にこれら全ての回路ブロックを含める必要はなく、その一部の回路ブロックを省略する構成にしてもよい。
【００３５】
液晶パネル２０は、複数の走査線（ゲート線）と、複数のデータ線（ソース線）と、各画素が複数の走査線のいずれかの走査線及び複数のデータ線のいずれかのデータ線により特定される複数の画素とを含む。各画素は、ＴＦＴと画素電極とを含む。データ線にはＴＦＴが接続され、該ＴＦＴに画素電極が接続される。
【００３６】
より具体的には、液晶パネル２０は例えばガラス基板からなるパネル基板上に形成される。パネル基板には、図１のＹ方向に複数配列されそれぞれＸ方向に伸びる走査線ＧＬ１〜ＧＬＭ（Ｍは２以上の整数）と、Ｘ方向に複数配列されそれぞれＹ方向に伸びるデータ線ＤＬ１〜ＤＬＮ（Ｎは２以上の整数）とが配置されている。走査線ＧＬｍ（１≦ｍ≦Ｍ、ｍは整数）とデータ線ＤＬｎ（１≦ｎ≦Ｎ、ｎは整数）との交差点に対応する位置に画素ＰＥｍｎが設けられている。画素ＰＥｍｎは、ＴＦＴｍｎと画素電極とを含む。
【００３７】
ＴＦＴｍｎのゲート電極は走査線ＧＬｍに接続される。ＴＦＴｍｎのソース電極はデータ線ＤＬｎに接続される。ＴＦＴｍｎのドレイン電極は画素電極に接続される。画素電極と、該画素電極と液晶素子（広義には電気光学物質）を介して対向する対向電極ＣＯＭ（コモン電極）との間には、液晶容量ＣＬｍｎ及び補助容量ＣＳｍｎが形成されている。画素電極と対向電極ＣＯＭとの間の電圧に応じて、液晶素子の透過率が変化するようになっている。対向電極ＣＯＭに供給される電圧ＶＣＯＭは、電源回路６０により生成される。
【００３８】
データ線駆動回路３０は、表示データに基づいて液晶パネル２０のデータ線ＤＬ１〜ＤＬＮを駆動する。走査線駆動回路４０は、液晶パネル２０の走査線ＧＬ１〜ＧＬＭを走査する。
【００３９】
コントローラ５０は、図示しない中央処理装置（Central Processing Unit：以下、ＣＰＵと略す）等のホストにより設定された内容に従って、データ線駆動回路３０、走査線駆動回路４０及び電源回路６０に対して制御信号を出力する。より具体的には、コントローラ５０は、データ線駆動回路３０及び走査線駆動回路４０に対しては、例えば動作モードの設定や内部で生成した水平同期信号や垂直同期信号を供給する。またコントローラ５０は、電源回路６０に対しては、対向電極ＣＯＭの電圧ＶＣＯＭの極性反転タイミングの制御を行う。
【００４０】
電源回路６０は、外部から供給される基準電圧に基づいて、液晶パネル２０の各種電圧や、対向電極ＣＯＭの電圧ＶＣＯＭを生成する。
【００４１】
なお図１では、液晶装置１０がコントローラ５０を含む構成になっているが、コントローラ５０を液晶装置１０の外部に設けてもよい。或いは、コントローラ５０と共にホスト（図示せず）を液晶装置１０に含めるように構成してもよい。
【００４２】
また走査線駆動回路４０、コントローラ５０及び電源回路６０のうち少なくとも１つをデータ線駆動回路３０に内蔵させてもよい。
【００４３】
またデータ線駆動回路３０、走査線駆動回路４０、コントローラ５０及び電源回路６０の一部又は全部を液晶パネル２０上に形成してもよい。例えば、液晶パネル（電気光学装置）２０は、複数のデータ線と、複数の走査線と、各画素が複数のデータ線のいずれかと、複数の走査線のいずれかとにより特定される複数の画素と、複数のデータ線を駆動するデータ線駆動回路（表示ドライバ）とを含むように構成することができる。
【００４４】
図２に、第１の実施形態におけるコントローラ５０とデータ線駆動回路３０との接続関係を模式的に示す。コントローラ５０は、コマンド識別信号出力端子ＣＭＤと、データ出力端子ＤＡＴＡとを有する。コントローラ５０は、データ線駆動回路３０に対し、データ出力端子ＤＡＴＡを介して、ホストで生成された階調データを含む表示データを、表示タイミングに同期させて出力する。このとき、コントローラ５０は、一水平走査期間内に表示データ及びコマンドデータが時分割で多重化されたデータを出力する。
【００４５】
またコントローラ５０は、データ出力端子ＤＡＴＡから出力されるデータのうち、時分割で多重化されたコマンドデータの位置を特定するためのコマンド識別信号を、コマンド識別信号出力端子ＣＭＤから出力する。
【００４６】
一方、データ線駆動回路３０は、コマンド識別信号入力端子ＣＭＤと、データ入力端子ＤＡＴＡとを有する。データ線駆動回路３０では、データ入力端子ＤＡＴＡを介して入力された表示データ及びコマンドデータが時分割で多重化されたデータから、コマンド識別信号入力端子ＣＭＤを介してコントローラ５０から入力されるコマンド識別信号に基づいて、コマンドデータが特定される。そして、データ線駆動回路３０では、該コマンドデータがデコードされ、そのデコード結果に対応した制御が行われる。
【００４７】
コマンドデータは、データ線駆動回路３０の各種動作モードの設定等を行うためのコマンドに対応したデータである。コマンドは、例えばパーシャル駆動を行うパーシャルブロック選択コマンド、出力ブロック選択コマンド、出力タイミング設定コマンドがある。
【００４８】
パーシャルブロック選択コマンドは、データ線駆動回路３０によるデータ線の表示駆動を、複数のデータ線を分割単位としたブロックごとに選択するためのコマンドである。パーシャルブロック選択コマンドにより表示駆動するように選択されたブロックのデータ線には、表示タイミングに同期して階調データに対応した階調電圧が印加される。パーシャルブロック選択コマンドにより非表示駆動するように選択されたブロックのデータ線には、該データ線にＴＦＴを介して接続された液晶素子の透過率が変化しないように、例えば対向電極ＣＯＭに供給される電圧ＶＣＯＭが印加される。
【００４９】
出力ブロック選択コマンドは、データ線駆動回路３０によるデータ線の駆動のオン又はオフを、ブロックごとに選択するためのコマンドである。出力ブロック選択コマンドにより駆動オンに設定されたブロックのデータ線には、表示タイミングに同期して階調データに対応した階調電圧が印加される。出力ブロック選択コマンドにより駆動オフに設定されたブロックのデータ線への出力は、ハイインピーダンス状態に設定される。
【００５０】
出力タイミング設定コマンドは、低消費電力化を図るため、データ線駆動回路３０によるデータ線への出力タイミングを細かに設定するコマンドである。
【００５１】
このようにデータ線駆動回路３０は、階調データ及びコマンドデータが時分割で多重化された入力データから、コマンド識別信号に基づきコマンドデータを特定し、この特定したコマンドデータに基づく制御を行う。したがって、汎用目的の入出力端子であるＧＰＩ／Ｏ（General Purpose Input/Output）端子を有する汎用的なコントローラにより、データ線駆動回路３０に対し、コマンドデータによる制御を行うことができる。
【００５２】
また、該コントローラが、コマンドデータによる制御を行わなくてもよい。すなわち、ホストにより生成された表示データ（階調データ）にコマンドデータを多重化してコントローラに供給させることにより、コントローラはコマンドデータを表示データと同様に扱うことができる。したがって、コントローラは、データ線駆動回路３０を制御するための回路の簡素化を図ることができる。
【００５３】
以下では、このような第１の実施形態におけるデータ線駆動回路３０の構成例について説明する。
【００５４】
図３に、第１の実施形態におけるデータ線駆動回路３０の構成例を示す。データ線駆動回路３０は、データラッチ７０、レベルシフタ（Level Shifter：Ｌ／Ｓ）７２、電圧選択回路（Digital-to-Analog Converter：ＤＡＣ）７４、出力回路７６を含む。
【００５５】
データラッチ７０は、データ入力端子ＤＡＴＡを介して入力された入力データに含まれる表示データをラッチする。表示データは、各階調データがデータ線ごとに区分される複数の階調データを含んで構成される。例えばデータラッチ７０は、各段のフリップフロップが１又は複数ビットの階調データを保持するシフトレジスタと、ラインラッチとを含むことができる。この場合、ラッチパルスＬＰの周期により規定される一水平走査期間内に少なくともデータ線の数であるＮ個のクロックを有するシフトクロックＣＰＨにより、シフトレジスタの初段のフリップフロップに入力された表示データをシフトして取り込む。そして、ラッチパルスＬＰに同期してシフトレジスタに取り込まれた表示データが、ラインラッチで保持される。
【００５６】
Ｌ／Ｓ７２は、データラッチ７０の出力の電圧レベルをシフトする。
【００５７】
ＤＡＣ７４は、各基準電圧が階調データに対応した複数の基準電圧の中から、Ｌ／Ｓ７２からのデータに対応するアナログ階調電圧を出力する。より具体的には、ＤＡＣ７４は、階調データをデコードし、デコード結果に基づいて複数の基準電圧のいずれかを選択する。ＤＡＣ７４において選択された基準電圧は、アナログ階調電圧として出力回路７６に出力される。
【００５８】
出力回路７６は、ＤＡＣ７４からのアナログ階調電圧に基づいてデータ線ＤＬ１〜ＤＬＮを駆動する。出力回路７６は、複数のデータ線を分割単位としたブロックごとに、パーシャル駆動や出力選択を行うことができる。パーシャル駆動の制御は、上述のパーシャルブロック選択コマンドを用いて行われる。出力選択の制御は、上述の出力ブロック選択コマンドを用いて行われる。このようなコマンドに応じて、各ブロックのデータ線には、階調データに対応した電圧や、コモン電極の電圧ＶＣＯＭ又はこれとほぼ同等の電圧が印加される。或いは、コマンドに応じて、各ブロックのデータ線への出力が、ハイインピーダンス状態に設定される。
【００５９】
またこのようなデータ線駆動回路３０は、制御部８０から出力される制御信号に基づいて制御される。このような制御信号としては、例えばパーシャル駆動を行うブロックの選択信号や、駆動オン又は駆動オフのブロックの選択信号などがある。したがって、制御部８０は、データ入力端子ＤＡＴＡを介した入力データに含まれるコマンドデータに対応した制御信号を出力する。
【００６０】
上述の制御信号を生成するため、データ線駆動回路３０は、ラッチ８２、デコーダ８４を含むことができる。ラッチ８２は、入力データから、コマンド識別信号に基づいて特定されたコマンドデータを取り込む。
【００６１】
ここで入力データは、一水平走査期間内に表示データ及びコマンドデータが時分割で多重化されたデータで、データ入力端子ＤＡＴＡを介して入力される。コマンド識別信号は、コマンドデータを識別するための信号で、コマンド識別信号入力端子ＣＭＤを介して入力される。
【００６２】
デコーダ８４は、ラッチ８２に取り込まれたコマンドデータをデコードする。そして制御部８０は、デコーダ８４のデコード結果に対応した制御信号を出力する。
【００６３】
図４に、ラッチ８２の構成例を示す。ラッチ８２は、シフトレジスタ９０と、コマンドラッチ９２とを含むことができる。
【００６４】
シフトレジスタ９０は、第１〜第Ｋ（Ｋは２以上の整数）のフリップフロップＦＦ１〜ＦＦＫを有する。フリップフロップＦＦｋ（１≦ｋ≦Ｋ、ｋは整数）は、クロック端子Ｃ、入力端子Ｄ、出力端子Ｑ、リセット端子Ｒを有する。フリップフロップＦＦｋは、クロック端子Ｃへの入力信号の立ち上がりで、入力端子Ｄへのデータ信号を保持し、その保持したデータ信号を出力端子Ｑから出力する。またフリップフロップＦＦｋは、リセット端子Ｒへの入力信号に基づいて、内部状態が初期化状態に戻される。
【００６５】
各フリップフロップは、データ線単位で生成される１又は複数ビットの階調データを保持することができる。第ｉ（１≦ｉ≦Ｋ−１、ｉは整数）のフリップフロップＦＦｉの出力が第（ｉ＋１）のフリップフロップＦＦｉ＋１の入力に接続される。そして、第１のフリップフロップＦＦ１に入力された入力データが、コマンドシフトクロックに同期してシフトされる。このコマンドシフトクロックは、シフトクロックＣＰＨとコマンド識別信号との論理積演算信号である。
【００６６】
すなわち、コマンド識別信号の論理レベルが「Ｈ」のときシフトクロックＣＰＨに同期して入力データがシフトされて入力されたデータが、コマンドデータである。したがって、入力データに含まれる表示データを取り込む場合、コマンド識別信号の論理レベルが「Ｌ」のとき、図３に示すデータラッチ７０において、シフトクロックＣＰＨに同期して入力データがシフトされて入力されたデータが、表示データである。
【００６７】
なお各フリップフロップは、ラッチパルスＬＰによりリセットされる。
【００６８】
コマンドラッチ９２は、コマンド識別信号の立ち下がりに同期して、第１〜第ＫのフリップフロップＦＦ１〜ＦＦＫに保持されたコマンドデータをラッチする。コマンドラッチ９２にラッチされたコマンドデータは、デコーダ８４に対して出力される。
【００６９】
図５に、第１の実施形態におけるデータ線駆動回路３０の動作タイミングの一例を示す。データ線駆動回路３０に対しては、コントローラ５０から、一水平走査期間（１Ｈ）内に、表示データ（階調データ）及びコマンドデータが時分割で多重化されたデータが入力される。図５においては、１Ｈ内に、上述の多重化データと、ブランクデータとが入力されている。ブランクデータは、例えばコントローラ５０によって埋め込まれたダミーデータであり、表示及びコマンドによる制御に影響しないデータである。
【００７０】
コマンド識別信号の論理レベルが「Ｌ」のとき、入力データのうち表示データが図３に示すデータラッチ７０に取り込まれ、例えば次の水平走査期間内の表示に用いられる。
【００７１】
コマンド識別信号の論理レベルが「Ｈ」のとき、入力データのうちコマンドデータが図３に示すラッチ８２に取り込まれ、例えば次の水平走査期間内の制御に用いられる。すなわち、制御部８０は、第１の水平走査期間において、デコーダ８４によりコマンドデータをデコードする。また制御部８０は、第１の水平走査期間の次の水平走査期間である第２の水平走査期間において、第１の水平走査期間においてデコードされたコマンドデータに対応した制御信号に基づく制御を行うことができる。
【００７２】
この場合、デコーダ８４は、ラッチパルスＬＰの周波数より高い周波数を有する信号、例えばシフトクロックＣＰＨに同期してデコード処理を行うことが望ましい。こうすることで、コマンドデータが取り込まれた水平走査期間内にデコード結果を出力することができ、次の水平走査期間までに該デコード結果に対応する制御信号を生成することが容易となる。
【００７３】
図６に、第１の実施形態におけるパーシャルブロック選択コマンドによる制御例の説明図を示す。ここでは、一垂直走査期間内に走査される液晶パネル２０の表示領域を模式的に示す。
【００７４】
水平走査期間ごとに選択される走査線を第１ライン、第２ライン、・・・とし、第１ラインから順に１ラインずつ走査されるものとする。図６では第１ラインから第ａ（ａは整数）ラインまで、通常駆動される。すなわち、データ線駆動回路３０により、データ線ＤＬ１〜ＤＬＮの各データ線について階調データに対応した階調電圧が印加される。
【００７５】
ここで、第ａラインの水平走査期間において、パーシャルブロック選択コマンドが図５に示すタイミングで入力されたものとする。この場合、当該水平走査期間内においてラッチ８２に取り込まれ、その結果、デコーダ８４でパーシャルブロック選択コマンドであることが判別される。そして、次の水平走査期間である第（ａ＋１）ラインの水平走査期間において、該パーシャルブロック選択コマンドに基づく制御が行われる。この場合、表示駆動するように選択された第１のブロックのデータ線には、表示タイミングに同期して階調データに対応した階調電圧が印加される。パーシャルブロック選択コマンドにより非表示駆動するように選択された第２及び第３のブロックのデータ線には、該データ線にＴＦＴを介して接続された液晶素子の透過率が変化しないように、例えば対向電極ＣＯＭに供給される電圧ＶＣＯＭ又はこれとほぼ同等の電圧が印加される。
【００７６】
そのため、第１のブロックに対応する表示領域はパーシャル表示領域となり、階調データに対応する表示が行われる。これに対し、第２及び第３のブロックに対応する表示領域はパーシャル非表示領域となり、白又は黒の背景色の表示が行われる。
【００７７】
そして、第ｂ（ｂ＞ａ＋１、ｂは整数）ラインの水平走査期間において、パーシャルブロック選択コマンドにより全てのブロックを表示駆動するように設定されるものとすると、次の水平走査期間である第（ｂ＋１）ラインの水平走査期間以降において、通常の表示駆動に戻る制御が行われることになる。
【００７８】
２．  第２の実施形態
第２の実施形態では、コマンド識別信号を用いることなく、汎用的なコントローラからデータ線駆動回路に対してコマンドデータを入力することができる。
【００７９】
図７に、第２の実施形態におけるコントローラとデータ線駆動回路との接続関係を模式的に示す。コントローラ１００は、第１の実施形態におけるコントローラ５０に代えて、図１に示す構成と同様の構成の液晶装置に適用することができる。データ線駆動回路１１０は、第１の実施形態におけるデータ線駆動回路３０に代えて、図１に示す構成と同様の構成の液晶装置に適用することができる。
【００８０】
コントローラ１００は、データ出力端子ＤＡＴＡを有する。コントローラ１００は、データ線駆動回路１１０に対し、データ出力端子ＤＡＴＡを介して、ホストで生成された階調データを含む表示データを表示タイミングに同期して出力する。このとき、コントローラ１００は、一水平走査期間内に表示データ及びコマンドデータが時分割で多重化されたデータを出力する。なおコマンドデータが多重化されるタイミングは、コントローラ１００及びデータ線駆動回路１１０との間で予め決められている。
【００８１】
一方、データ線駆動回路１１０は、データ入力端子ＤＡＴＡを有する。データ線駆動回路１１０では、データ入力端子ＤＡＴＡを介して入力された表示データ及びコマンドデータが時分割で多重化されたデータから、予め決められたタイミングで多重化されたコマンドデータが特定される。そして、データ線駆動回路１１０において、該コマンドデータがデコードされ、そのデコード結果に対応した制御が行われる。
【００８２】
このようにデータ線駆動回路１１０は、コマンド識別信号を用いることなく、階調データ及びコマンドデータが時分割で多重化された入力データからコマンドデータを特定し、該コマンドデータに基づく制御を行う。したがって、第１の実施形態に比べて、より汎用的なコントローラによってデータ線駆動回路１１０に対するコマンドデータによる制御を行うことができる。
【００８３】
以下では、第２の実施形態におけるデータ線駆動回路１１０の構成例について説明する。
【００８４】
図８に、第２の実施形態におけるデータ線駆動回路１１０の構成例を示す。ただし、図３に示す第１の実施形態におけるデータ線駆動回路３０と同一部分には同一符号を付し、適宜説明を省略する。
【００８５】
第２の実施形態におけるデータ線駆動回路１１０が第１の実施形態におけるデータ線駆動回路３０と異なる点は、ラッチ及びデコーダの構成が異なる点である。
【００８６】
第２の実施形態におけるラッチ１２０は、データ入力端子ＤＡＴＡを介して入力される入力データを、ラッチパルスＬＰの立ち上がりに同期して取り込む。該入力データに含まれるコマンドデータは、入力データのどの位置に含まれるかについて予め決められており、ラッチ１２０は、その決められた位置に対応するデータを取り込む。
【００８７】
第２の実施形態におけるデコーダ１３０は、ラッチ１２０に取り込まれたコマンドデータをデコードする。第２の実施形態におけるコマンドデータは、実行（Execute）コマンドデータと通常コマンドデータとに区別される。実行コマンドデータは、実行コマンドに対応するコマンドデータである。通常コマンドデータは、通常コマンドに対応するコマンドデータである。実行コマンドは、通常コマンドを実行するか否かを指定するコマンドである。通常コマンドは、データ線駆動回路１１０の各種制御を実行するために、予め決められた制御内容に対応したコマンドである。したがってデータ線駆動回路１１０では、ラッチ１２０に取り込まれたコマンドデータの一部が実行コマンドデータであるとき、該コマンドデータの他の位置にある通常コマンドデータに対応した制御を行う。
【００８８】
以下、この点について説明する。
【００８９】
図９に、データラッチ７０とラッチ１２０の構成例を示す。ラッチ１２０は、シフトレジスタ１２２と、コマンドラッチ１２４とを含むことができる。
【００９０】
シフトレジスタ１２２は、第１〜第Ｊ（Ｊは２以上の整数）のフリップフロップＤＦＦ１〜ＤＦＦＪを有する。フリップフロップＤＦＦｊ（１≦ｊ≦Ｊ、ｊは整数）は、クロック端子Ｃ、入力端子Ｄ、出力端子Ｑを有する。フリップフロップＤＦＦｊは、クロック端子Ｃへの入力信号の立ち上がりで、入力端子Ｄへのデータ信号を保持し、その保持したデータ信号を出力端子Ｑから出力する。
【００９１】
各フリップフロップは、データ線単位で生成される１又は複数ビットの階調データを保持することができる。第ｊのフリップフロップＤＦＦｊの出力が第（ｊ＋１）のフリップフロップＤＦＦｊ＋１の入力に接続される。そして、第１のフリップフロップＤＦＦ１に入力された入力データが、シフトクロックＣＰＨに同期してシフトされる。
【００９２】
コマンドラッチ１２４は、ラッチパルスＬＰの立ち上がりに同期して、第１〜第ＪのフリップフロップＤＦＦ１〜ＤＦＦＪに保持されたデータを取り込む。
【００９３】
またデータラッチ７０は、シフトレジスタ１２６と、ラインラッチ１２８とを含む。シフトレジスタ１２６は、第１〜第Ｌ（Ｌは２以上の整数）のフリップフロップＤＤＦＦ１〜ＤＤＦＦＬを有し、シフトレジスタ１２２と同様の構成をなす。シフトレジスタ１２６の各フリップフロップは、シフトレジスタ１２２の各フリップフロップと同様の構成をなす。
【００９４】
シフトレジスタ１２６を構成する第１のフリップフロップＤＤＦＦ１の入力には、シフトレジスタ１２２の第ＪのフリップフロップＤＦＦＪのシフト出力が入力される。
【００９５】
ラインラッチ１２８は、ラッチパルスＬＰの立ち上がりに同期して、第１〜第ＬのフリップフロップＤＤＦＦ１〜ＤＤＦＦＬに保持されたデータを取り込む。
【００９６】
データ入力端子ＤＡＴＡを介して入力される入力データは、例えば１６ビットを１ワードとするワード単位で入力される。各データ線に対応して入力される階調データは、１ワード分のデータである。そして、各フリップフロップは、１ワード分のデータを保持する。この場合、各ワードのデータは、シフトクロックＣＰＨに同期してシフト入力される。
【００９７】
以上のように、ラッチ１２０のシフトレジスタ１２２と、データラッチ７０のシフトレジスタ１２６とを接続する構成とすることで、例えば図８において、一水平走査期間分の入力データのシフト入力が終了した時点で、ラッチ１２０に保持された入力データをコマンドデータとすることができる。
【００９８】
図８においては、一水平走査期間内に入力される入力データがＬワードの表示データと、Ｊワードのコマンドデータとが多重化されたものとして説明した。しかしながら、表示データとコマンドデータとの間にＵ（Ｕは整数）ワードのブランクデータが挿入されるようにしてもよい。
【００９９】
この場合、入力データが、例えば一水平走査期間ごとにＳ（Ｓは整数）ワードを含むものとする。入力データに多重化された表示データは、入力データの１ワード目からＮワード目までに含まれる。各ワード位置の表示データは、データ線に対応している。そして、コマンドデータがＴワード分有するものとすると、コマンドデータは、入力データの（Ｓ−Ｔ＋１）ワード目から最後のＳワード目までに含まれる。
【０１００】
このように入力データの最後のＴワードをコマンドデータとすることで、コマンドを拡張した場合でも入力データの最後からのワード数を変更するだけで済むので、コマンドによる制御の拡張性を高めることができる。
【０１０１】
図９では、ラッチ１２０のシフトレジスタ１２２と、データラッチ７０のシフトレジスタ１２６とを区別して示しているが、これに限定されるものではない。例えば図１０に示すように、シフトレジスタ１２２及びシフトレジスタ１２６の各フリップフロップを共通化し、予め決められたワード位置のデータを保持するフリップフロップの出力を、コマンドラッチ１２４又はラインラッチ１２８に接続するようにしてもよい。
【０１０２】
すなわち、次のように言うこともできる。ラッチ１２０は、各フリップフロップがワード単位でデータを保持する第１〜第Ｐ（Ｐは２以上の整数）のフリップフロップＤＦＦ１〜ＤＦＦＰを有するシフトレジスタを含むことができる。該シフトレジスタは、第ｐ（１≦ｐ≦Ｐ−１、ｐは整数）のフリップフロップＤＦＦｐの出力が第（ｐ＋１）のフリップフロップＤＦＦｐ＋１の入力に接続される。シフトレジスタでは、第１のフリップフロップＤＦＦ１に入力された入力データは、シフトクロックＣＰＨに同期してシフトされる。デコーダ１３０は、ラッチパルスＬＰの立ち上がりに同期して、第ｑ（１≦ｑ≦Ｐ、ｑは整数）のフリップフロップＤＦＦｑ（第１〜第ＰのフリップフロップＤＦＦ１〜ＤＦＦＰのいずれかのフリップフロップ）に保持されたデータをデコードする。
【０１０３】
このようにしてラッチ１２０に取り込まれたコマンドデータは、デコーダ１３０によりデコードされる。デコーダ１３０は、まず、取り込まれたコマンドデータが実行コマンドデータであるか否かを解析する。
【０１０４】
図１１に、デコーダ１３０により解析されるコマンドデータの構成例を示す。デコーダ１３０は、まず図１１に示すようなコマンドデータの解析を行う。このコマンドデータは、１ワード（１６ビット）の上位８ビットに実行コマンドデータ部を有し、下位４ビットに参照数データ部を有する。
【０１０５】
デコーダ１３０は、実行コマンドデータ部のデータが所与の実行コマンドに対応するデータであるとき、参照数データ部に示されるワード数について通常コマンドか否かのデコードを引き続き行うことになる。
【０１０６】
図１２に、デコーダ１３０の構成の概要を示す。デコーダ１３０は、実行コマンドデコーダ１３２と、通常コマンドデコーダ１３４とを含む。
【０１０７】
実行コマンドデコーダ１３２は、コマンドラッチ１２４に保持されたデータの一部（シフトレジスタ１２２の第ｑのフリップフロップＤＦＦｑに保持されたデータ）である実行コマンドデータ部のデータをデコードする。
【０１０８】
通常コマンドデコーダ１３４は、実行コマンドデコーダ１３２のデコード結果に基づき実行コマンドデータ部のデータが所与の実行コマンドであると判断されたとき、参照数データ部に示されるワード数のコマンドデータをコマンドラッチ１２４から取り出し、該コマンドデータについてデコードを行う。参照数データ部に示されるワード数のコマンドデータは、上述の実行コマンドデータ部を含むワードのワード位置以外のワード位置にあるデータである。より具体的には、実行コマンドデータ部を含むワードのデータを保持する第ｑのフリップフロップを除き、第１〜第Ｐのフリップフロップのうち少なくとも１つのフリップフロップに保持されたワードのデータである。更に具体的には、実行コマンドデータ部を含むワードのデータを保持する第ｑのフリップフロップを除く第１〜第Ｐのフリップフロップのうち、第ｑのフリップフロップに保持されたデータの参照数データ部に基づいて特定されるフリップフロップの少なくと１つのフリップフロップに保持されたデータである。
【０１０９】
実行コマンドデータ部を含むワードのワード位置にあるコマンドデータは、ラッチパルスＬＰの立ち上がりに同期してコマンドラッチ１２４にラッチされる直前に図９に示すシフトレジスタ１２２の第１のフリップフロップＤＦＦ１に保持されるデータであることが望ましい。そして、通常コマンドデータは、ラッチパルスＬＰの立ち上がりに同期してコマンドラッチ１２４にラッチされる直前に図９に示すシフトレジスタ１２２の第２〜第ＪのフリップフロップＤＦＦ２〜ＤＦＦＪのいずれかに保持されるデータであることが望ましい。
【０１１０】
通常コマンドデコーダ１３４のデコード結果は、制御部８０に対して出力される。
【０１１１】
このようなデコーダ１３０は、第１の実施形態と同様に、ラッチパルスＬＰの周波数より高い周波数を有するクロックに同期して動作することが望ましい。そして、該クロックは、シフトクロックＣＰＨであることが望ましい。
【０１１２】
また制御部８０は、図６に示すように、デコーダ１３０によりデコードされるデータが取り込まれた水平走査期間の次の水平走査期間に、該制御部８０が生成した制御信号に基づく制御を行うことができる。
【０１１３】
図１３に、第２の実施形態におけるデータ線駆動回路１１０の動作タイミングの一例を示す。ここでは、データ線駆動回路１１０が、図９に示す構成を有する場合について説明する。
【０１１４】
データ線駆動回路１１０に対しては、コントローラ１００から、一水平走査期間（１Ｈ）内に、表示データ（階調データ）及びコマンドデータが時分割で多重化されたデータが入力される。図１３においては、１Ｈ内に、Ｌワードの階調データと、図１１に示す実行コマンドデータ部を有するコマンドデータを含むＪワードのコマンドデータとが多重化されて入力される。
【０１１５】
コマンドラッチ１２４では、ラッチパルスＬＰの立ち上がりに同期して、その直前にシフトレジスタ１２２に保持された入力データ（コマンドデータ）を取り込む。
【０１１６】
デコーダ１３０は、コマンドラッチ１２４から、予め決められたワードのコマンドデータを取り出し、実行コマンドデータ部に相当するデータを解析し、実行コマンドであるか否かを判別する。
【０１１７】
デコーダ１３０では、実行コマンドであると判別されると、参照数データ部に基づき特定されるワード位置にあるコマンドデータをコマンドラッチ１２４から取り出す。例えば、実行コマンドデータ部を有するワード位置がＳワード目の場合、参照数データ部が「３」を示す場合、（Ｓ−１）ワード目、（Ｓ−２）ワード目、（Ｓ−３）ワード目のワード位置にあるコマンドデータを取り出す。このようにして取り出したコマンドデータに対して、通常コマンドのデコード処理を行う。
【０１１８】
デコーダ１３０による通常コマンドのデコード結果は、制御部８０に出力される。制御部８０は、そのデコード結果に対応した制御信号を出力する。
【０１１９】
なお、本発明は上述した実施の形態に限定されるものではなく、本発明の要旨の範囲内で種々の変形実施が可能である。
【０１２０】
また、本発明のうち従属請求項に係る発明においては、従属先の請求項の構成要件の一部を省略する構成とすることもできる。また、本発明の１の独立請求項に係る発明の要部を、他の独立請求項に従属させることもできる。
【図面の簡単な説明】
【図１】  液晶装置の構成の概要を示す構成図。
【図２】  第１の実施形態におけるコントローラとデータ線駆動回路との接続関係を示す模式図。
【図３】  第１の実施形態におけるデータ線駆動回路の構成例を示すブロック図。
【図４】  ラッチの構成例を示すブロック図。
【図５】  第１の実施形態におけるデータ線駆動回路の動作例を示すタイミングチャート。
【図６】  第１の実施形態におけるパーシャルブロック選択コマンドによる制御例の説明図。
【図７】  第２の実施形態におけるコントローラとデータ線駆動回路との接続関係を示す模式図。
【図８】  第２の実施形態におけるデータ線駆動回路の構成例を示すブロック図。
【図９】  第２の実施形態におけるラッチ及びデータラッチの構成例を示すブロック図。
【図１０】  第２の実施形態におけるラッチ及びデータラッチの他の構成例を示すブロック図。
【図１１】  第２の実施形態におけるコマンドデータの構成例を示す説明図。
【図１２】  第２の実施形態におけるデコーダの構成例を示すブロック図。
【図１３】  第２の実施形態におけるデータ線駆動回路の動作例を示すタイミングチャート。
【符号の説明】
１０  液晶装置、２０  液晶パネル（表示パネル）、３０、１１０  データ線駆動回路、４０  走査線駆動回路、５０、１００  コントローラ、６０  電源回路、７０  データラッチ、７２  Ｌ／Ｓ、７４  ＤＡＣ、７６  出力回路、８０  制御部、８２、１２０  ラッチ、８４、１３０  デコーダ、９０、１２２、１２６  シフトレジスタ、９２、１２４  コマンドラッチ、１２８  ラインラッチ、１３２  実行コマンドデコーダ、１３４  通常コマンドデコーダ
【図１】
0003698137.tif 000002
【図２】
0003698137.tif 000003
【図３】
0003698137.tif 000004
【図４】
0003698137.tif 000005
【図５】
0003698137.tif 000006
【図６】
0003698137.tif 000007
【図７】
0003698137.tif 000008
【図８】
0003698137.tif 000009
【図９】
0003698137.tif 000010
【図１０】
0003698137.tif 000011
【図１１】
0003698137.tif 000012
【図１２】
0003698137.tif 000013
【図１３】
0003698137.tif 000014